(57)【要約】【課題】  今までの紙製品の欠点を克服し、最も基本的な構造で、簡単に組み立てられる箱であり、誰が実施しても失敗のないロック方式による固定方法を提供することを目的とする。【解決手段】  長方形状の底面パネルと、底面パネルの四周辺に連ねた前面パネル、背面パネル、両側面パネルと、側面パネルと前面パネルとの間に側面パネルに連結した連結片と、側面パネルと背面パネルとの間に側面パネルに連結した連結片と、前面パネル先端に連ねた支持パネルと、背面パネル先端に連ねた支持パネルと、支持パネルと前面パネルの連接部中央に前面パネル側に突設した円弧ロック片と、支持パネルと背面パネルの連接部中央に背面側に突設した円弧ロック片と、背面パネルの側辺に連ねた天面パネルと、天面パネル側辺に連ねた支持パネルとよりなり、両側面パネルを起立させ、両連結片を折り曲げ、両連結片を円弧ロック片でロックし支持片を折り曲げ両連結片を保持させるようにした貼り不要のロック方式による簡易組立箱とした。【選択図】  図４
2008285216.tif 000002
【特許請求の範囲】
【請求項１】
長方形状の底面パネルと、底面パネルの四周辺に連ねた前面パネル、背面パネル、両側面パネルと、側面パネルと前面パネルとの間に側面パネルに連結した連結片と、側面パネルと背面パネルとの間に側面パネルに連結した連結片と、前面パネル先端に連ねた支持パネルと、背面パネル先端に連ねた支持パネルと、支持パネルと前面パネルの連接部中央に前面パネル側に突設した円弧ロック片と、支持パネルと背面パネルの連接部中央に背面側に突設した円弧ロック片と、背面パネルの側辺に連ねた天面パネルと、天面パネル側辺に連ねた支持パネルとよりなり、両側面パネルを起立させ、両連結片を折り曲げ、両連結片を円弧ロック片でロックし支持片を折り曲げ両連結片を保持させるようにした貼り不要のロック方式による簡易組立箱。
【請求項２】
長方形状の底面パネルと、底面パネルの四周辺に連ねた前面パネル、背面パネル、両側面パネルと、前面パネルと側面パネルとの間に前面パネルに連結した連結片と、背面パネルと側面パネルとの間に背面パネルに連結した連結片と、側面パネルと前面パネルとの間に側面パネルに連結した起立片と、側面パネルと背面パネルとの間に側面パネルに連結した起立片と、連結片の斜辺と起立片の先端を連結し、側面パネル先端に連ねた支持パネルと、支持パネルと側面パネル連結部中央に側面パネル側に突設した円弧ロック片と、背面パネル側辺に連ねた天面パネルと、天面パネル側辺に連ねた支持パネルとよりなり、前面パネルと背面パネルを起立させ、両連結片を折り曲げ、両連結片を円弧ロック片でロックし支持片を折り曲げ、両連結片を保持させるようにした貼り不要のロック方式による簡易組立箱。
【発明の詳細な説明】
【技術分野】
【０００１】
本発明は、貼り不要のロック方式による簡易組立箱に関するものである。
【背景技術】
【０００２】
板紙の箱は、手組みのものからワンタッチで組み立てられるものまであり、手組みの箱としては特開２００６−２３２３１５号公報などがあり、ワンタッチで組み立てられるものとしては特願２００６−２３９１５３号（平成１８年９月４日出願  出願人：(株)第一紙行）などがある。
【０００３】
手組みのものは、作業の煩雑さがあり、ワンタッチで組み立てられるものは糊貼り加工に伴うコストアップと、箱の構造の限界あるいは使用できる機械の制約がある。また、耐油あるいは耐水性を持つ素材によっては糊付け加工の出来ないものがある。
【０００４】
食品包装には、糊の持つ臭いや毒性により、その使用に適さない場合がある。食品を収容し箱ごと加熱する包装の糊の使用については、特に注意せねばならない。
【０００５】
従来の箱を図３に示す。これは外箱１０１と、中箱１０２と、収容する菓子１０３の斜視図である。
【０００６】
菓子１０３を中箱１０２上に載置し、菓子１０３を載置した中箱１０２を外箱１０１に収容していた。
【０００７】
従来の箱では、外箱１０１の組み箱と中箱１０２の２種類の箱を使用し、しかも菓子は裸のまま中箱に載置されて外箱１０１に収容され、菓子１０３の取り出しも菓子１０３が載置された箱１０２を先ず外箱１０１から取り出し、その後菓子１０３を中箱１０２から取り出さねばならず、非常に手間を要していた。
【特許文献１】特開２００６−２３２３１５号公報
【発明の開示】
【発明が解決しようとする課題】
【０００８】
現在、箱（パッケージ）の世界では、地球温暖化やその原因のひとつに数えられている石油製品の氾濫に対する反省から、石油製品であるプラスチックから紙への転換は大きな課題の一つになっており、プラスチック製の箱に代わるものとして、いろいろな提案がなされている。
【０００９】
しかし、欠点あるいは弱点として、手組みの箱は作業の煩雑さがあり、またワンタッチの箱はコストや構造上の制約がある。
【００１０】
さらに、ロック構造については、外観が良くないものや、脆弱そうな印象を受けるものがあり、顧客受けが悪く、不採用の原因となっている。
【課題を解決するための手段】
【００１１】
本発明の貼り不要のロック方式による簡易組立箱は、今までの紙製品の欠点を克服でき、最も基本的な構造で簡単に組み立てられる箱であり、誰が実施しても失敗のないロック方式による固定方法を提供すべく、長方形状の底面パネルと、底面パネルの四周辺に連ねた前面パネル、背面パネル、両側面パネルと、側面パネルと前面パネルとの間に側面パネルに連結した連結片と、側面パネルと背面パネルとの間に側面パネルに連結した連結片と、前面パネル先端に連ねた支持パネルと、背面パネル先端に連ねた支持パネルと、支持パネルと前面パネルの連接部中央に前面パネル側に突設した円弧ロック片と、支持パネルと背面パネルの連接部中央に背面側に突設した円弧ロック片と、背面パネルの側辺に連ねた天面パネルと、天面パネル側辺に連ねた支持パネルとよりなり、両側面パネルを起立させ、両連結片を折り曲げ、両連結片を円弧ロック片でロックし支持片を折り曲げ両連結片を保持させるようにした貼り不要のロック方式による簡易組立箱とした。
【００１２】
また、本発明は、中の商品の取り出しあるいは包丁を入れる時も楽にできるようにすべく、長方形状の底面パネルと、底面パネルの四周辺に連ねた前面パネル、背面パネル、両側面パネルと、前面パネルと側面パネルとの間に前面パネルに連結した連結片と、背面パネルと側面パネルとの間に背面パネルに連結した連結片と、側面パネルと前面パネルとの間に側面パネルに連結した起立片と、側面パネルと背面パネルとの間に側面パネルに連結した起立片と、連結片の斜辺と起立片の先端を連結し、側面パネル先端に連ねた支持パネルと、支持パネルと側面パネル連結部中央に側面パネル側に突設した円弧ロック片と、背面パネル側辺に連ねた天面パネルと、天面パネル側辺に連ねた支持パネルとよりなり、前面パネルと背面パネルを起立させ、両連結片を折り曲げ、両連結片を円弧ロック片でロックし支持片を折り曲げ、両連結片を保持させるようにした貼り不要のロック方式による簡易組立箱とした。
【発明の効果】
【００１３】
本発明は、長方形状の底面パネルと、底面パネルの四周辺に連ねた前面パネル、背面パネル、両側面パネルと、側面パネルと前面パネルとの間に側面パネルに連結した連結片と、側面パネルと背面パネルとの間に側面パネルに連結した連結片と、前面パネル先端に連ねた支持パネルと、背面パネル先端に連ねた支持パネルと、支持パネルと前面パネルの連接部中央に前面パネル側に突設した円弧ロック片と、支持パネルと背面パネルの連接部中央に背面側に突設した円弧ロック片と、背面パネルの側辺に連ねた天面パネルと、天面パネル側辺に連ねた支持パネルとよりなり、両側面パネルを起立させ、両連結片を折り曲げ、両連結片を円弧ロック片でロックし支持片を折り曲げ両連結片を保持させるようにした貼り不要のロック方式による簡易組立箱であるので、貼りが要らず目立たずしっかりと機能する簡易組立箱とした。
【００１４】
また、本発明は、長方形状の底面パネルと、底面パネルの四周辺に連ねた前面パネル、背面パネル、両側面パネルと、前面パネルと側面パネルとの間に前面パネルに連結した連結片と、背面パネルと側面パネルとの間に背面パネルに連結した連結片と、側面パネルと前面パネルとの間に側面パネルに連結した起立片と、側面パネルと背面パネルとの間に側面パネルに連結した起立片と、連結片の斜辺と起立片の先端を連結し、側面パネル先端に連ねた支持パネルと、支持パネルと側面パネル連結部中央に側面パネル側に突設した円弧ロック片と、背面パネル側辺に連ねた天面パネルと、天面パネル側辺に連ねた支持パネルとよりなり、前面パネルと背面パネルを起立させ、両連結片を折り曲げ、両連結片を円弧ロック片でロックし支持片を折り曲げ、両連結片を保持させるようにした貼り不要のロック方式による簡易組立箱であるので、中の商品の取り出しあるいは包丁を入れる時も楽にできる。
【発明を実施するための最良の形態】
【００１５】
本発明を、図面に示す具体的実施例に基づいて、詳細に説明する。
【００１６】
図１は、貼り不要のロック方式による簡易組立箱の一具体的例のブランク図である。
【００１７】
ブランクは、長方形状の底面パネル１と、底面パネル１の四周辺に折り曲げ線２・３・４・５を介して連ねた前面パネル６、背面パネル７、両側面パネル８・９と、側面パネル８・９と前面パネル６との間に側面パネル８・９に折り曲げ線１０・１１を介して連結した連結片１２・１３と、側面パネル８・９と背面パネル７との間に側面パネル８・９に折り曲げ線１４・１５を介して連結した連結片１６・１７と、前面パネル６先端に折り曲げ線１８を介して連ねた支持パネル２０と、背面パネル７先端に折り曲げ線２１を介して連ねた支持パネル２２と、支持パネル２０と前面パネル６の連接部中央に前面パネル６側に突設した円弧ロック片２３と、支持パネル２２と背面パネル７の連接部中央に背面パネル７側に突設した円弧ロック片２４と、側面パネル９の側辺９１に連ねた天面パネル９２と、天面パネル９２の側辺９４に連ねた支持パネル９３とよりなる。
【００１８】
本発明の箱のロックとアンロックを、図４により説明する。図４は菓子１０３を収容した状態の斜視図である。
【００１９】
ロックする場合は、両側面パネル８・９を起立させ、両連結片１２・１３を折り曲げ、両連結片１２・１３を円弧ロック片２３でロックし、支持パネル２０を内方（Ａ方向）へ折り曲げ両連結片１２・１３を保持させるとロックする。支持パネル２０を外方（Ｂ方向）へ引けばアンロックとなる。
【００２０】
なお、必要に応じて天面パネル９２を設けなくてもよい。
【００２１】
図２は、各コーナーからの水漏れのしないウォータープルーフ構造の貼り不要のロック方式による簡易組立箱の一具体的例のブランク図である。
【００２２】
ブランクは、長方形状の底面パネル５１と、底面パネル５１の四周辺に折り曲げ線５２・５３・５４・５５を介して連ねた前面パネル５６、背面パネル５７、両側面パネル５８・５９と、前面パネル５６と側面パネル５８・５９との間に前面パネル５６に折り曲げ線６０・６１を介して連結した連結パネル６２・６３と、背面パネル５７と側面パネル５８・５９との間に背面パネル５７に折り曲げ線６４・６５を介して連結した連結片６６・６７と、側面パネル５８・５９と前面パネル５６との間に側面パネル５８・５９に折り曲げ線８４・８５を介して連結した起立片６８・６９と、側面パネル５８・５９と背面パネル５７との間に側面パネル５８・５９に折り曲げ線８６・８７を介して連結した起立片８８・８９と、連結片６２・６３・６６・６７の基端斜辺と起立片６８・６９・８８・８９の先端をミシン目７０・７１・７２・７３で連結し、側面パネル５８・５９先端に折り曲げ線７４・７５を介して連ねた支持パネル７６・７７と、支持パネル７６・７７と側面パネル５８・５９連結部中央に側面パネル５８・５９側に突設した円弧ロック片７８・７９と、背面パネル５７側辺に折り曲げ線８０を介して連ねた天面パネル８１と、天面パネル８１の側辺に中央に切り込み９０を有する折り曲げ線８２を介して連ねた支持パネル８３とよりなる。
【００２３】
図５は、焼き菓子用テーパー付きトレーのブランク図で、各コーナーからの水漏れのしないウォータープルーフ構造である。このトレーは耐熱紙を使い、電子レンジまたはオーブンで焼き菓子作りに使用する。
【００２４】
図６は、断面が直角な焼き菓子用トレーの斜視図で、折り畳み片３０を側面パネル３１の外面で折り畳み、折り畳み片３０を円弧ロック片３２で保持した状態を示す。
【００２５】
図７には笹舟タイプトレーのブランク図を示す。
【実施例１】
【００２６】
本発明は、カステラなどの焼き菓子を収容する貼り不要のロック方式による簡易組立箱として使用できる。
【産業上の利用可能性】
【００２７】
本発明の支持パネルを内側に倒して円弧ロック片をロックし、支持パネルを外側に倒して円弧ロック片をアンロックさせる構造は、前開きのケーキ箱にも利用できる。
【図面の簡単な説明】
【００２８】
【図１】貼り不要のロック方式による簡易組立箱の一具体的例のブランク図である。
【図２】各コーナーからの水漏れのしないウォータープルーフ構造の貼り不要のロック方式による簡易組立箱の一具体的例のブランク図である。
【図３】従来の箱の斜視図である。
【図４】菓子を収容した状態の斜視図である。
【図５】焼き菓子用テーパー付きトレーのブランク図である。
【図６】断面が直角な焼き菓子用トレーの斜視図である。
【図７】笹舟タイプトレーのブランク図である。
【符号の説明】
【００２９】
１…底面パネル
６…前面パネル
７…背面パネル
８・９…両側面パネル
１２・１３…連結片
１６・１７…連結片
２３…円弧ロック片
２４…円弧ロック片
９２…天面パネル
９３…支持パネル
【図１】
2008285216.tif 000003
【図２】
2008285216.tif 000004
【図３】
2008285216.tif 000005
【図４】
2008285216.tif 000006
【図５】
2008285216.tif 000007
【図６】
2008285216.tif 000008
【図７】
2008285216.tif 000009